(57)【要約】【課題】ロープ保持部材を使用するとともに、製造コストをできるだけ抑えた上で、ロープ保持部材とロープとが擦れてロープが切断することを防止することができる二連梯子を提供する。【解決手段】上梯子昇降ロープ７を保持するロープ保持部材９を備えている。ロープ保持部材９は、押出方向を上下方向とする押出形材製とされ、同部材９には、上下方向にのびかつ昇降ロープ７が挿通される横断面が円形または略円形のロープ挿通部２１，２２と、上下方向にのびかつボルト頭部１４ａが摺動可能に嵌め入れられる横断面Ｔ字状のボルト頭嵌入部２３とが形成されている。【選択図】    図２
2004176500.tif 000002
【特許請求の範囲】
【請求項１】
下梯子（１）と、下梯子（１）に摺動自在に連結された上梯子（４）と、両梯子（１）（４）に渡された上梯子昇降ロープ（７）と、下梯子（１）に対する上梯子（４）の移動を阻止または許容する梯子ロック・アンロック装置（１０）とを備えている二連梯子において、
ロープ保持部材（９）をさらに備えており、ロープ保持部材（９）は、押出方向を上下方向とする押出形材製とされ、同部材（９）には、上下方向にのびかつ昇降ロープ（７）が挿通される横断面が円形または略円形のロープ挿通部（２１）（２２）（２４）（２６）（２７）（２９）と、上下方向にのびかつボルト頭部（１４ａ）が摺動可能に嵌め入れられる横断面Ｔ字状のボルト頭嵌入部（２３）（２５）（２８）（３０）とが形成されていることを特徴とする二連梯子。
【発明の詳細な説明】
【０００１】
【発明の属する技術分野】
この発明は、昇降ロープを操作することによって上梯子を下梯子に対して移動させる二連梯子に関する。
【０００２】
なお、この明細書において、「二連梯子」は、複数の梯子が相対的に摺動可能に連結されたものの総称として使用しており、二連の梯子にさらにもう一連梯子を連結した三連梯子も「二連梯子」に含まれるものとする。
【０００３】
【従来の技術】
下梯子と、下梯子に摺動自在に連結された上梯子と、両梯子に渡された上梯子昇降ロープと、下梯子に対する上梯子の移動を阻止または許容する梯子ロック・アンロック装置とを備えている二連梯子は、従来より知られている（例えば特許文献１）。
【０００４】
この二連梯子によると、ロープ操作により上梯子を上方に移動させて所望の長さになったところで、梯子ロック・アンロック装置が下梯子に対する上梯子の下方への移動を阻止することにより、安定した使用状態が得られる。
【０００５】
昇降ロープの端部は、従来、踏桟に結びつけたり、支柱（側木）にあけられた孔に通してから結んだりすることによって、固定されていた。
【０００６】
【特許文献１】
特開２００１−２０６４５号公報
【０００７】
【発明が解決しようとする課題】
上記従来の二連梯子では、昇降ロープの端部を踏桟に結びつけた場合には、ほどけてしまう危険性があり、また、昇降ロープの端部を支柱にあけられた孔に通してから結ぶ場合には、ロープと孔の縁部とが擦れてロープが切断するという問題があった。そこで、専用のロープ保持部材を取り付けることが考えられるが、この場合には、上記問題に加えて、ロープ保持部材の分だけ製造コストが増大するという問題があり、製造コストをできるだけ抑えた上で、ロープ保持部材とロープとが擦れてロープが切断することを防止する必要がある。
【０００８】
この発明の目的は、ロープ保持部材を使用するとともに、製造コストをできるだけ抑えた上で、ロープ保持部材とロープとが擦れてロープが切断することを防止することができる二連梯子を提供することにある。
【０００９】
【課題を解決するための手段および発明の効果】
この発明による二連梯子は、下梯子と、下梯子に摺動自在に連結された上梯子と、両梯子に渡された上梯子昇降ロープと、下梯子に対する上梯子の移動を阻止または許容する梯子ロック・アンロック装置とを備えている二連梯子において、ロープ保持部材をさらに備えており、ロープ保持部材は、押出方向を上下方向とする押出形材製とされ、同部材には、上下方向にのびかつ昇降ロープが挿通される横断面が円形または略円形のロープ挿通部と、上下方向にのびかつボルト頭部が摺動可能に嵌め入れられる横断面Ｔ字状のボルト頭嵌入部とが形成されていることを特徴とするものである。
【００１０】
ロープ挿通部は、１または２本形成され、ボルト頭嵌入部は、１本とされる。ロープ挿通部が２本の場合には、中央にボルト頭嵌入部が、その両側にロープ挿通部が配置される。ロープ挿通部の横断面は、完全な円形とされて形材の側面に開口していないように形成されてもよく、また、円形の一部が形材の側面に開口している略円形とされてもよい。
【００１１】
ロープ保持部材を梯子に取り付けるには、まず、梯子の側木（支柱）にボルト挿通孔を設け、この孔に保持部材固定用のボルトを通してナットを仮締めし、次いで、ロープ保持部材のボルト頭嵌入部と保持部材固定用ボルトの頭とを嵌め合わせ、ナットを本締めすればよい。そして、ロープ保持部材を梯子に取り付ける前または取り付けた後に、昇降ロープの端部をロープ保持部材のロープ挿通部に上から挿通して、ロープ保持部材の下端から突出したロープ端部を例えば団子に結ぶことにより、昇降ロープのロープ保持部材からの抜けが防止される。
【００１２】
この発明の二連梯子によると、ロープ保持部材が押出形材製とされているので、形材を所要長さに切断する工程以外の曲げ加工とか孔あけ加工とかは不要であり、コスト増を抑えることができる。また、昇降ロープが上下方向にのびるロープ挿通部に挿通されるので、ロープと孔の縁部とが擦れ合うような動きをすることはなく、摩耗や曲げによる疲労が発生しにくく、ロープが切断するという問題が起こることはない。そして、一端結んだ昇降ロープの端部は、ほどく必要がなく、結んだ状態が保持される。さらにまた、ロープ保持部材を取り付けるためのボルトの頭部は、ボルト頭嵌入部に収められてロープ保持部材から露出しないので、見た目がシンプルとなり外観もよいものとなる。
【００１３】
【発明の実施の形態】
この発明の実施の形態を、以下図面を参照して説明する。この明細書において、前とは図１の右を、後とは同図の左をいい、左右は前方に向かっていうものとする。
【００１４】
この発明による二連梯子は、左右一対の側木（２）および複数の踏桟（３）からなる下梯子（１）と、左右一対の側木（５）および複数の踏桟（６）からなり下梯子（１）の後に摺動自在に連結された上梯子（４）と、両梯子（１）（４）に渡された上梯子昇降ロープ（７）と、下梯子（１）の上端部に設けられて昇降ロープ（７）が巻き掛けられている滑車（８）と、上梯子（４）の下端部に設けられて昇降ロープ（７）の端部を保持するロープ保持部材（９）と、使用状態で下梯子（１）に対する上梯子（４）の下方への移動を阻止するとともに、この状態から上梯子（４）を所定量以上上方へ移動させたときにその移動を許容する梯子ロック・アンロック装置（１０）と、上梯子（４）の上端部に回動自在に設けられ梯子を壁（Ｗ）に立て掛ける際に壁（Ｗ）と梯子との間隔を調整する壁との間隔調整装置（１１）とを備えている。
【００１５】
下梯子（１）の上端部には、上梯子（４）を案内するコの字状案内金具（１２）が固定されており、滑車（８）は、同金具（１２）の右側面に固定された滑車支持金具（１３）に支持されている。
【００１６】
梯子ロック・アンロック装置（１０）は、公知のものでその詳細は省略するが、上梯子（４）の各側木（５）の内側面所定位置に下向きに揺動自在に取り付けられるとともにばねにより下梯子（１）方向に付勢されて下梯子（１）の踏桟（３）に嵌合する係止爪（１０ａ）を備えており、上梯子（４）を伸長させて係止爪（１０ａ）が下梯子（１）の踏桟（３）を越えてすぐに伸長を停止すると、係止爪（１０ａ）がその踏桟（３）に係合し、上梯子（４）をさらに伸長させて係止爪（１０ａ）が下梯子（１）の踏桟（３）を所定量以上越えてから伸長を停止すると、係止爪（１０ａ）と踏桟（３）との係合が解除されて、収縮可能状態が得られる。
【００１７】
ロープ保持部材（９）は、アルミニウム押出形材製であり、その押出方向を上下方向に向けて上梯子（４）の側木（５）の下端部外側面に取り付けられている。図２および図３に拡大して示すように、ロープ保持部材（９）には、上下方向にのびかつ昇降ロープ（７）の一端部が挿通される横断面が円形の後側ロープ挿通部（２１）と、上下方向にのびかつ昇降ロープ（７）の他端部が挿通される横断面が円形の前側ロープ挿通部（２２）と、後側ロープ挿通部（２１）と前側ロープ挿通部（２２）との中間にあって上下方向にのびかつボルト（１４）の頭部（１４ａ）を含む部分が摺動可能に嵌め入れられる横断面Ｔ字状のボルト頭嵌入部（２３）とが形成されている。各ロープ挿通部（２１）（２２）の径は、昇降ロープ（７）が遊びを有して挿通できる大きさとされている。ボルト頭嵌入部（２３）は、図３に示すように、ボルト頭部（１４ａ）が摺動可能かつ回転不可能に収められる幅広部（２３ａ）と、梯子（４）の側木（５）側に開口しかつボルト（１４）の軸部が摺動可能に収められる幅狭部（２３ｂ）とからなる。
【００１８】
ロープ保持部材（９）を梯子（４）に取り付けるには、図４に示すように、まず、梯子（４）の側木（支柱）（５）に上下１対のボルト挿通孔（１６）を設け、これらの孔（１６）に保持部材固定用のボルト（１４）をそれぞれ通してこれらにナット（１５）を仮締めし、次いで、ロープ保持部材（９）のボルト頭嵌入部（２３）と各保持部材固定用ボルト（１４）の頭部（１４ａ）とを嵌め合わせ、各ナット（１５）を本締めすればよい。そして、昇降ロープ（７）の端部をロープ保持部材（９）の各ロープ挿通部（２１）（２２）に上から挿通して、ロープ保持部材（９）の下端から突出した昇降ロープ（７）の端部を図２のように団子に結ぶことにより、昇降ロープ（７）のロープ保持部材（９）からの抜けが防止される。
【００１９】
なお、ロープ保持部材（９）に保持させる昇降ロープ（７）の端部は、両端部とは限らず、滑車の数や滑車の配置位置によって、一端部だけとされることもある。図５は、昇降ロープ（７）の一端部だけを保持するロープ保持部材（９）を示しており、同部材（９）には、上下方向にのびかつ昇降ロープ（７）の一端部が挿通される横断面が円形のロープ挿通部（２４）と、上下方向にのびかつボルト（１４）の頭部（１４ａ）を含む部分が摺動可能に嵌め入れられる横断面Ｔ字状のボルト頭嵌入部（２５）とが前後に並んで形成されている。
【００２０】
また、ロープ挿通部は、その横断面が上記のように完全な円形で形材の側面に開口していないもの（ロープ挿通孔）とされてももちろんよいが、図６および図７に示すように、その横断面円形の一部が形材の側面に開口している略円形であるもの（ロープ挿通溝）とされてもよい。
【００２１】
図６に示すロープ保持部材（９）には、上下方向にのびかつ昇降ロープ（７）の一端部が挿通される横断面が略円形で側木側に開口している後側ロープ挿通部（２６）と、上下方向にのびかつ昇降ロープ（７）の他端部が挿通される横断面が略円形で側木側に開口している前側ロープ挿通部（２７）と、後側ロープ挿通部（２６）と前側ロープ挿通部（２７）との中間にあって上下方向にのびかつボルト（１４）の頭部（１４ａ）を含む部分が摺動可能に嵌め入れられる横断面Ｔ字状のボルト頭嵌入部（２８）とが形成されている。各ロープ挿通部（２６）（２７）の径は、昇降ロープ（７）が遊びを有して挿通できる大きさとされている。
【００２２】
図７に示すロープ保持部材（９）には、上下方向にのびかつ昇降ロープ（７）の一端部が挿通される横断面が略円形で側木側に開口しているロープ挿通部（２９）と、上下方向にのびかつボルト（１４）の頭部（１４ａ）を含む部分が摺動可能に嵌め入れられる横断面Ｔ字状のボルト頭嵌入部（３０）とが前後に並んで形成されている。
【００２３】
壁との間隔調整装置（１１）は、図８および図９に拡大して示すように、上梯子（４）の上端に上方突出状に固定された固定金具（３１）と、これに回動可能に支持された可動金具（３２）と、可動金具（３２）に取り付けられた滑り止め部材（３３）と、可動金具（３２）を使用状態および収納状態で固定するストッパ（３５）とを有している。そして、図１の実線および図８に示すように、可動金具（３２）を回動させてこれを側木（４）の延長上に位置させた状態で、ストッパ（３５）により可動金具（３２）の動きを阻止することにより、壁との間隔調整装置（１１）を有していない梯子と同様の作業が可能であり、壁への作業時に壁との間にもっと大きな間隔がほしい場合には、図１の鎖線および図９に示すように、可動金具（３２）を回動させて側木（４）上端と壁（Ｗ）との間に可動金具（３２）を位置させた状態で、ストッパ（３５）により可動金具（３２）の動きを阻止することにより、必要な間隔を得ることができる。そして、この作業が終了すれば、可動金具（３２）を回動させて、図１の実線および図８に示す状態に復帰させることにより、運搬および保管についても、壁との間隔調整装置（１１）を有していない梯子と全く同じに取り扱うことができる。
【図面の簡単な説明】
【図１】この発明による二連梯子を示す側面図である。
【図２】要部すなわちロープ支持部分の拡大斜視図である。
【図３】同横断面図である。
【図４】同分解斜視図である。
【図５】ロープ支持部材の変形例を示す横断面図である。
【図６】ロープ支持部材の他の変形例を示す横断面図である。
【図７】ロープ支持部材のさらに他の変形例を示す横断面図である。
【図８】壁との間隔調整装置を示す拡大側面図である。
【図９】同じく壁との間隔調整装置を示す拡大側面図であり、その使用状態を示している。
【符号の説明】
（１）    下梯子
（４）    上梯子
（７）    上梯子昇降ロープ
（１０）  梯子ロック・アンロック装置
（２１）（２２）（２４）（２６）（２７）（２９）  ロープ挿通部
（２３）（２５）（２８）（３０）  ボルト頭嵌入部
【図１】
2004176500.tif 000003
【図２】
2004176500.tif 000004
【図３】
2004176500.tif 000005
【図４】
2004176500.tif 000006
【図５】
2004176500.tif 000007
【図６】
2004176500.tif 000008
【図７】
2004176500.tif 000009
【図８】
2004176500.tif 000010
【図９】
2004176500.tif 000011